【手続補正書】
【提出日】平成28年12月16日(2016.12.16)
【手続補正１】
【補正対象書類名】特許請求の範囲
【補正対象項目名】全文
【補正方法】変更
【補正の内容】
【特許請求の範囲】
【請求項１】
紫外線放射デバイスであって、前記デバイスは、
ＵＶ−Ｃ放射を放出するように構成されているＵＶ−Ｃ放射源と、
２つ以上の異なるパーティション幾何学形状の間で選択可能に構成可能な部屋のパーティションと
を備え、
前記部屋のパーティションは、前記２つ以上の異なるパーティション幾何学形状の各々において、
（ａ）部屋の床空間を標的領域と非標的領域とに物理的に分離し、
（ｂ）前記ＵＶ−Ｃ放射から前記非標的領域を保護しながら、少なくとも２つの異なる方向から前記ＵＶ−Ｃ放射を前記標的領域に方向付ける
ように構成されている、デバイス。
【請求項２】
前記デバイスは、平坦な床面上で安定して自立するように構成されている独立ユニットである、請求項１に記載のデバイス。
【請求項３】
前記部屋のパーティションは、前記部屋のパーティションが複数の構成の間で転がされることを可能にするキャスタを含む、請求項１〜２のいずれか１項に記載のデバイス。
【請求項４】
前記部屋のパーティションは、前記標的領域と前記非標的領域との間の異なる線引きに対応する複数の形状の間で選択可能に再構成可能である、請求項１〜３のいずれか１項に記載のデバイス。
【請求項５】
前記部屋のパーティションは、第１および第２のパネルを含み、前記第１および第２のパネルの各々は、前記標的領域と前記非標的領域との間にＵＶ−Ｃ放射障壁を形成するように構成され、前記第１および第２のパネルの各々は、前記非標的領域に向かって対面するように構成されている第１の面と、前記標的領域に向かって対面するように構成されている第２の面とを有する、請求項１〜４のいずれか１項に記載のデバイス。
【請求項６】
コンピュータ読み取り可能な命令を実行して少なくとも１回の照射動作を行うように構成されている少なくとも１つのコンピュータプロセッサを含む電子制御システムをさらに
備え、
前記少なくとも１つのコンピュータプロセッサは、滅菌動作のために前記放射源の放射強度および持続時間を選択的に制御するように構成され、
前記少なくとも１つのコンピュータプロセッサは、前記放射源からのＵＶ−Ｃ光強度の一貫性を提供するために、前記放射源の経年劣化に基づいて前記放射源に供給される電力を調整するように構成されている、請求項１〜５のいずれか１項に記載のデバイス。
【請求項７】
前記少なくとも１つのコンピュータプロセッサは、前記パーティションが前記複数の形状のうちのどれを有するように構成されるかに依存して、複数のＵＶ−Ｃ放射放出デバイスを選択的に制御するように構成されている、請求項６に記載のデバイス。
【請求項８】
前記少なくとも１つのコンピュータプロセッサは、前記標的領域におけるＵＶ−Ｃ露光量を測定するように構成されている１つ以上のセンサから信号を受信するように構成されている、請求項６または７に記載のデバイス。
【請求項９】
前記少なくとも１つのコンピュータプロセッサは、（ａ）前記標的領域中の物品、および（ｂ）前記標的領域の物理的場所のうちの少なくとも１つを識別するように構成されているセンサから、少なくとも１つの信号を受信するように構成されている、請求項６〜８のいずれか１項に記載のデバイス。
【請求項１０】
前記制御システムは、通信ネットワークを経由して情報を送信および受信するように構成されている送受信機をさらに備えている、請求項６〜９のいずれか１項に記載のデバイス。
【請求項１１】
前記制御システムは、（ａ）前記標的領域中の物品、および（ｂ）前記標的領域の場所のうちの少なくとも１つの識別を提供する情報を伝送するように構成されている、請求項１０に記載のデバイス。
【請求項１２】
標的を照射する方法であって、前記方法は、
部屋の中に区切られた床空間を形成するように複数のＵＶ−Ｃ放射放出パネルを提供することと、
前記区切られた床空間の外側の床空間からＵＶ−Ｃ放射を遮断しながら、前記パネルから前記ＵＶ−Ｃ放射を放出し、前記ＵＶ−Ｃで前記区切られた床空間を照射することと
を含む、方法。
【請求項１３】
前記区切られた床空間は、病室の一部である、請求項１２に記載の方法。
【請求項１４】
前記区切られた床空間は、病院のベッドを含む、請求項１２に記載の方法。
【請求項１５】
前記複数のＵＶ−Ｃ放射放出パネルは、病院から遠隔の一時的医療現場作業において病原体を死滅させるように構成されている移動式ユニットの一部である、請求項１２に記載の方法。
【手続補正２】
【補正対象書類名】明細書
【補正対象項目名】００７１
【補正方法】変更
【補正の内容】
【００７１】
本発明の例示的実施形態のこれらおよび他の特徴および利点は、添付の請求項および添付図面と併せて解釈される、本発明の種々の側面の以下の詳細な説明から明白となるであろう。
本願明細書は、例えば、以下の項目も提供する。
（項目１）
滅菌デバイスであって、前記滅菌デバイスは、
ＵＶ−Ｃ放射を放出するように構成されているＵＶ−Ｃ放射源と、
２つ以上の異なるパーティション幾何学形状の間で選択可能に構成可能な部屋のパーティションと
を備え、
前記部屋のパーティションは、前記２つ以上の異なるパーティション幾何学形状の各々において、
（ａ）部屋の床空間を滅菌標的領域と非標的領域とに物理的に分離し、
（ｂ）前記ＵＶ−Ｃ放射から前記非標的領域を保護しながら、少なくとも２つの異なる方向から前記ＵＶ−Ｃ放射を前記標的領域に方向付ける
ように構成されている、滅菌デバイス。
（項目２）
前記ＵＶ−Ｃ放射源は、複数のＵＶ−Ｃ放射放出デバイスを含む、項目１に記載の滅菌デバイス。
（項目３）
前記ＵＶ−Ｃ放射放出デバイスの各々は、ＵＶ−Ｃ放射を生成するように構成されている光要素から成る、項目２のいずれか１項に記載の滅菌デバイス。
（項目４）
前記ＵＶ−Ｃ放射放出デバイスは、前記部屋のパーティションに据え付けられている、項目２または３のいずれか１項に記載の滅菌デバイス。
（項目５）
前記滅菌デバイスは、平坦な床面上で安定して自立するように構成されている独立ユニットである、項目１〜４のいずれか１項に記載の滅菌デバイス。
（項目６）
前記部屋のパーティションは、前記部屋のパーティションが複数の構成の間で転がされることを可能にするキャスタを含む、項目１〜５のいずれか１項に記載の滅菌デバイス。（項目７）
前記部屋のパーティションは、前記標的領域と前記非標的領域との間の異なる線引きに対応する複数の形状の間で選択可能に再構成可能である、項目１〜５のいずれか１項に記載の滅菌デバイス。
（項目８）
前記部屋のパーティションは、第１および第２のパネルを含み、前記第１および第２のパネルの各々は、前記標的領域と前記非標的領域との間にＵＶ−Ｃ放射障壁を形成するように構成され、前記第１および第２のパネルの各々は、前記非標的領域に向かって対面するように構成されている第１の面と、前記標的領域に向かって対面するように構成されている第２の面とを有する、項目１〜７のいずれか１項に記載の滅菌デバイス。
（項目９）
コンピュータ読み取り可能な命令を実行して少なくとも１回の滅菌動作を行うように構成されている少なくとも１つのコンピュータプロセッサを含む電子制御システムをさらに備えている、項目１〜８のいずれか１項に記載の滅菌デバイス。
（項目１０）
前記少なくとも１つのコンピュータプロセッサは、前記滅菌動作のために前記放射源の放射強度および持続時間を選択的に制御するように構成されている、項目９に記載の滅菌デバイス。
（項目１１）
前記少なくとも１つのコンピュータプロセッサは、前記放射源からのＵＶ−Ｃ光強度の一貫性を提供するために、前記放射源の経年劣化に基づいて前記放射源に供給される電力を調整するように構成されている、項目１０に記載の滅菌デバイス。
（項目１２）
前記少なくとも１つのコンピュータプロセッサは、前記パーティションが前記複数の形状のうちのどれを有するように構成されるかに依存して、前記複数のＵＶ−Ｃ放射放出デバイスを選択的に制御するように構成されている、項目９〜１１のいずれか１項に記載の滅菌デバイス。
（項目１３）
前記少なくとも１つのコンピュータプロセッサは、他のＵＶ−Ｃ放射放出デバイスのうちの１つ以上の電源が切られている間に、前記ＵＶ−Ｃ放射放出デバイスの一部の電源を入れるように構成されている、項目１２に記載の滅菌デバイス。
（項目１４）
前記少なくとも１つのコンピュータプロセッサは、前記標的領域におけるＵＶ−Ｃ露光量を測定するように構成されている１つ以上のセンサから信号を受信するように構成されている、項目９〜１３のいずれか１項に記載の滅菌デバイス。
（項目１５）
前記少なくとも１つのコンピュータプロセッサは、（ａ）前記標的領域中の物品、および（ｂ）前記標的領域の物理的場所のうちの少なくとも１つを識別するように構成されているセンサから、少なくとも１つの信号を受信するように構成されている、項目９〜１４のいずれか１項に記載の滅菌デバイス。
（項目１６）
前記少なくとも１つの信号は、前記標的領域中の前記物品上、および／または前記標的領域の前記物理的場所に配置されている少なくとも１つのＲＦＩＤタグに基づいて生成されている、項目１５に記載の滅菌デバイス。
（項目１７）
前記少なくとも１つのコンピュータプロセッサは、複数のプロセッサから成る、項目９〜１６のいずれか１項に記載の滅菌デバイス。
（項目１８）
前記制御システムは、前記部屋のパーティションの一部として物理的に構成されている、項目９〜１７のいずれか１項に記載の滅菌デバイス。
（項目１９）
前記制御システムは、通信ネットワークを経由して情報を送信および受信するように構成されている送受信機をさらに備えている、項目９〜１８のいずれか１項に記載の滅菌デバイス。
（項目２０）
前記制御システムは、（ａ）前記標的領域中の物品、および（ｂ）前記標的領域の場所のうちの少なくとも１つの識別を提供する情報を伝送するように構成されている、項目１９に記載の滅菌デバイス。
（項目２１）
前記伝送は、前記物品または標的領域場所が前記滅菌ユニットによって滅菌されたことを示す、項目２０に記載の滅菌デバイス。
（項目２２）
前記少なくとも１つのコンピュータプロセッサは、滅菌を必要とするとしてラグを付けられている標的領域および／または物品を識別する情報を前記送受信機を介して受信し、処理するように構成されている、項目１９〜２１のいずれか１項に記載の滅菌デバイス。（項目２３）
コンピュータプロセッサによって、医療施設内の一組のベッドを識別することと、
コンピュータプロセッサによって、それぞれのベッドに割り当てられたＲＦＩＤチップに基づいて、それぞれのベッドの滅菌状態を決定することと、
前記ベッドのうちの少なくとも１つの決定された滅菌状態に基づいて、前記ベッドのうちの前記少なくとも１つを滅菌することと
を含む、方法。
（項目２４）
前記識別することおよび前記決定することは、同じコンピュータプロセッサによって行われる、項目２３に記載の方法。
（項目２５）
滅菌デバイスであって、前記滅菌デバイスは、
ＵＶ−Ｃ放射を放出するように構成されているＵＶ−Ｃ源と、
第１の側面と、反対の第２の側面とを含む第１のパネルであって、前記第２の側面は、前記ＵＶ−Ｃ放射の第１の部分を前記第２の側面から離れて外向きに方向付けるように構成され、前記前記第１のパネルは、ＵＶ−Ｃ放射が前記第１のパネルの前記第１の側面から外向きに通過することを阻止するように構成されている、第１のパネルと、
第１の側面と、反対の第２の側面とを含む第２のパネルであって、前記第２の側面は、前記ＵＶ−Ｃ放射の第２の部分を前記第２の側面から離れて外向きに方向付けるように構成され、前記第２のパネルは、ＵＶ−Ｃ放射が前記第２のパネルの前記第１の側面から外向きに通過することを阻止するように構成されている、第２のパネルと
を備え、
前記第２のパネルは、前記第１のパネルおよび前記第２のパネルが独立滅菌ユニットを形成するように、前記第１のパネルに連結され、
前記第１のパネルと前記第２のパネルとの間の角度は、調整可能であり、前記滅菌デバイスが滅菌されるべき異なる空間に適合することを可能にする、
滅菌デバイス。
（項目２６）
前記ＵＶ−Ｃ源は、複数のＵＶ−Ｃ放射エミッタを備えている、項目２５に記載の滅菌デバイス。
（項目２７）
前記ＵＶ−Ｃ放射エミッタのうちの１つ以上が、前記第１のパネルおよび前記第２のパネルの各々に据え付けられている、項目２５に記載の滅菌デバイス。
（項目２８）
前記第１のパネルと前記第２のパネルとの間の前記角度は、５度より小さい第１の角度から４０度より大きい第２の角度まで調整可能である、項目２５に記載の滅菌デバイス。（項目２９）
前記第１のパネルと前記第２のパネルとの間の前記角度は、５度より小さい第１の角度から１７０度より大きい第２の角度まで調整可能である、項目２５に記載の滅菌デバイス。
（項目３０）
前記第１のパネルおよび前記第２のパネルのうちの少なくとも１つは、窓を含み、前記窓は、前記ＵＶ−Ｃ放射源によって生成されるＵＶ−Ｃ放射にばく露されない位置からの滅菌されるべき領域の目視点検を可能にするように構成されている、項目２５に記載の滅菌デバイス。
（項目３１）
第１の側面と、反対の第２の側面とを含む第３のパネルをさらに備え、前記第２の側面は、前記ＵＶ−Ｃ放射の第３の部分を前記第２の側面から離れて外向きに方向付けるように構成され、前記第３のパネルは、ＵＶ−Ｃ放射が前記第３のパネルの前記第１の側面から外向きに通過することを阻止するように構成され、前記第３のパネルは、前記第１のパネルに連結され、近位位置と遠位位置との間で前記第１のパネルの幅に沿ってスライド可能である、項目２５に記載の滅菌デバイス。
（項目３２）
スライド機構をさらに備え、前記第３のパネルは、前記スライド機構を介して前記第１
のパネルに連結され、前記スライド機構は、トラックと、前記トラックに沿って移動するように構成されているスライドブロックとを備えている、項目３１に記載の滅菌デバイス。
（項目３３）
前記スライドブロックは、前記トラックに対して回転して、前記第３のパネルが、前記第３のパネルを含む面内で前記第１のパネルに対して回転することを可能にするように構成されている、項目３２に記載の滅菌デバイス。
（項目３４）
前記第３のパネルは、前記第１のパネルに対して３度より大きい回転の範囲を有する、項目３３に記載の滅菌デバイス。
（項目３５）
前記第３のパネルは、前記第１のパネルに対して５度より大きい回転の範囲を有する、項目３３に記載の滅菌デバイス。
（項目３６）
前記スライドブロックは、前記スライドブロックと前記トラックの１つ以上の誘導レールとの間の隙間により、前記トラックに対して回転可能である、項目３３に記載の滅菌デバイス。
（項目３７）
前記第３のパネルは、前記遠位位置にある場合、前記第１のパネルに対して平行な向きと前記第１のパネルに対して角度付けられた向きとの間で回転するように構成されている、項目３２に記載の滅菌デバイス。
（項目３８）
前記第３のパネルは、前記角度付けられた向きにある場合、前記第１のパネルに対して直角を形成する、項目３７に記載の滅菌デバイス。
（項目３９）
スライド機構であって、前記第３のパネルは、前記スライド機構を介して前記第１のパネルに連結され、前記スライド機構は、トラックと、前記トラックに沿って移動するように構成されているスライドブロックとを備えている、スライド機構と、
前記スライドブロックに連結されている枢動接合部と
をさらに備え、
前記第３のパネルは、前記枢動接合部の周囲で前記平行な向きと前記横の向きとの間で前記第１のパネルに対して回転するように構成されている、項目３７に記載の滅菌デバイス。
（項目４０）
前記枢動接合部は、前記第１のパネルに対して前記第３のパネルの回転の角度を解放可能に係止するための係止機構を備えている、項目３９に記載の滅菌デバイス。
（項目４１）
前記第３のパネルは、前記第３のパネルが前記近位位置にある場合、前記平行な位置から回転することを制約される、項目３９に記載の滅菌デバイス。
（項目４２）
前記デバイスは、前記第３のパネルおよび前記第２のパネルが前記第１のパネルに対して直角にあるＵ字形構成に構成可能である、項目３７に記載の滅菌デバイス。
（項目４３）
第１の側面と、反対の第２の側面とを含む第４のパネルをさらに備え、前記第２の側面は、前記ＵＶ−Ｃ放射の第４の部分を前記第２の側面から離れて外向きに方向付けるように構成され、前記第４のパネルは、ＵＶ−Ｃ放射が前記パネルの前記第１の側面から外向きに通過することを阻止するように構成されている、項目４２に記載の滅菌デバイス。
（項目４４）
前記デバイスは、複数の壁による囲いに構成可能であり、前記第１のパネル、前記第２のパネル、前記第３のパネル、および前記第４のパネルの各々は、前記第１のパネル、前
記第２のパネル、前記第３のパネル、および前記第４のパネルの各々の前記第２の側面が前記複数の壁による囲いの内部に方向付けられるように、前記４つの壁のうちのそれぞれの１つを構成する、項目４３に記載の滅菌デバイス。
（項目４５）
前記第４のパネルは、前記第２のパネルにスライド可能かつ回転可能に連結されている、項目４４に記載の滅菌デバイス。
（項目４６）
拡張アームをさらに備え、前記滅菌デバイスは、病院のベッドを受け取るようにＣ字形構成に構成可能であり、前記第１および第２のパネルは、前記ベッドの第１の縦側面に沿い、前記第３および第４のパネルは、前記ベッドの端部に沿っており、前記拡張アームは、前記ベッドを横断して下向きに拡張されることによって、前記拡張アームは、前記第１および第２のパネルの反対側にある前記ベッドの前記縦側面からＵＶ−Ｃ放射を放出するように構成される、項目４３に記載の滅菌デバイス。
（項目４７）
滅菌デバイスであって、前記滅菌デバイスは、
第１のパネルと、
前記第１のパネルに連結されている第２のパネルと、
前記第１のパネルに連結されている第３のパネルと、
前記第２のパネルに連結されている第４のパネルと
を備え、
前記第１のパネル、前記第２のパネル、前記第３のパネル、および前記第４のパネルの各々は、第１の側面と、反対の第２の側面と、前記第２の側面から外向きにＵＶ−Ｃ放射を放射するように構成されているＵＶ−Ｃ放射源とを含み、前記第１のパネル、前記第２のパネル、前記第３のパネル、および前記第４のパネルの各々は、ＵＶ−Ｃ放射がそれぞれの第１の側面から離れて外向きに通過することを阻止するように構成され、
前記第３のパネルは、前記第１のパネルに対して近位位置と遠位位置との間でスライド可能であり、前記遠位位置において、前記第１のパネルに対して枢動可能であり、
前記第４のパネルは、前記第２のパネルに対して近位位置と遠位位置との間でスライド可能であり、前記遠位位置において、前記第２のパネルに対して枢動可能であり、
前記滅菌デバイスは、前記第１のパネルの前記第２の側面が前記第２のパネルの前記第２の側面に対面する第１の構成と、前記第２のパネルが前記第１のパネルに対して直角以上にある第２の構成とを含む複数の構成の間で選択可能に構成可能である、
滅菌デバイス。
（項目４８）
前記第１のパネルは、前記第１の構成において前記第２のパネルと平行である、項目４７に記載の滅菌デバイス。
（項目４９）
前記第２の構成において、前記第３のパネルは、前記第１のパネルと平行であり、前記第４のパネルは、前記第２のパネルと平行である、項目４８に記載の滅菌デバイス。
（項目５０）
前記第３のパネルが前記第１のパネルに対して３０度以上の角度で方向付けられている第３の構成をさらに備えている、項目４９に記載の滅菌デバイス。
（項目５１）
前記デバイスは、部屋の他の部分からＵＶ−Ｃ放射を遮断しながら、前記部屋の隅にＵＶ−Ｃ放射を放出するように、部屋のパーティションとして位置付け可能である、項目５０に記載の滅菌デバイス。
（項目５２）
前記第３の構成において、前記第４のパネルは、前記第２のパネルに対して３０度以上の角度で方向付けられている、項目５０に記載の滅菌デバイス。
（項目５３）
前記第３の構成において、前記デバイスは、真っ直ぐな壁に隣接して位置付け可能であり、前記壁と前記デバイスとの間の空間を囲い、それによって、前記デバイスは、ＵＶ−Ｃ放射が前記空間から離れて放出されることを阻止しながら、ＵＶ−Ｃ放射を前記空間の中へ放出する、項目５２に記載の滅菌デバイス。
（項目５４）
前記第２の構成において、前記第３のパネルは、前記第１のパネルと平行であり、前記第４のパネルは、前記第２のパネルと平行であり、前記デバイスは、部屋の他の部分からＵＶ−Ｃ放射を遮断しながら、前記部屋の隅にＵＶ−Ｃ放射を放出するように、部屋のパーティションとして位置付け可能である、項目４７に記載の滅菌デバイス。
（項目５５）
ＵＶ−Ｃ放射を放出するように構成されている放射源を備えているカンチレバー状アームをさらに備え、前記カンチレバー状アームは、折り畳み位置と拡張位置との間で移動可能である、項目４７に記載の滅菌デバイス。
（項目５６）
前記第２の構成において、前記第１のパネルは、前記第２のパネルと平行であり、前記第３のパネルは、前記第１のパネルと垂直であり、前記第４のパネルは、前記第２のパネルと垂直であり、前記カンチレバー状アームは、前記拡張位置にある、項目５５に記載の滅菌デバイス。
（項目５７）
前記第２の構成において、前記デバイスは、病院のベッドが、（ａ）前記第１および第２のパネル、（ｂ）前記第３のパネル、（ｃ）前記第４のパネル、および（ｄ）前記カンチレバー状アームにそれぞれ対応する４つの異なる側面からＵＶ−Ｃ光で照射されるように、前記病院のベッドを受け取る空間を画定する、項目５６に記載の滅菌デバイス。
（項目５８）
前記デバイスは、モジュール式であり、前記第３のパネルの自由端が同様のデバイスの第４のパネルの自由端と嵌合するように構成され、前記第４のパネルの自由端が同様のデバイスの第３のパネルの自由端と嵌合するように構成されている、項目４７に記載の滅菌デバイス。
（項目５９）
前記パネルの前記構成に少なくとも部分的に基づいて、前記パネルのうちの少なくとも１つから放出されるＵＶ−Ｃ放射の量を選択可能に制御するように構成されている電子制御システムをさらに備えている、項目４７に記載の滅菌デバイス。
（項目６０）
部屋の中に区切られた床空間を形成するように複数のＵＶ−Ｃ放射放出パネルを提供することと、
前記区切られた床空間の外側の床空間からＵＶ−Ｃ放射を遮断しながら、前記パネルから前記ＵＶ−Ｃ放射を放出し、前記区切られた床空間を滅菌することと
を含む、方法。
（項目６１）
前記区切られた床空間は、病室の一部である、項目６０に記載の方法。
（項目６２）
前記区切られた床空間は、病院のベッドを含む、項目６０に記載の方法。
（項目６３）
前記複数のＵＶ−Ｃ放射放出パネルは、病院から遠隔の一時的医療現場作業を滅菌するように構成されている移動式ユニットの一部である、項目６０に記載の方法。